(57)【要約】      （修正有）【課題】維持管理のコストを低減することができ、長期間の使用に耐え得る野生動物忌避部材を提供する。【解決手段】野生動物忌避部材は、遮光率６０％以上およびＬ値４０以下の布帛からなる帯状のシート１と、シート１を野生動物の侵入を防止する区画の回りを囲むように幕状に張り巡らすための取り付け部材７と、を備える。取り付け部材７は、所定の間隔で設置され、シート１を支持するための複数の一対の円筒棒２と、各一対の円筒棒にシートを固定するための止め具３と、を有する。一対の円筒棒２の一方は、幕状のシート１の内側に配され、他方は、幕状のシート１の外側に配される。止め具３は、円筒棒２に嵌合可能な形状を有する。シート１を円筒棒２に当接し、当接部分にシート１の上から止め具３を円筒棒２に装着することで、シート１が円筒棒２に固定される。【選択図】図１
0003179419.tif 000002
【実用新案登録請求の範囲】
【請求項１】
遮光率が６０％以上およびＬ値が４０以下である布帛からなる、野生動物の侵入を防止するための帯状のシートと、前記シートを、野生動物の侵入を防止する区画の回りを囲むように幕状に張り巡らすための取り付け部材と、を備え、
前記取り付け部材は、
野生動物の侵入を防止する区域の周りを囲むように所定の間隔で設置され、前記シートを支持するための複数の支持部と、
各支持部に前記シートを固定するための固定手段と、
を有し、
各支持部が、地面から立たせた一対の円筒棒からなり、
前記一対の円筒棒のいずれか一方は、前記幕状のシートの内側に配され、
前記一対の円筒棒のいずれか他方は、前記幕状のシートの外側に配され、
前記固定手段が、前記円筒棒に嵌合可能であり、円筒形の一部を軸方向に沿って切り欠いた形状を有し、軸方向に垂直な断面が略Ｃ字状である止め具からなり、
前記シートを前記円筒棒に当接し、前記当接部分に前記シートの上から前記止め具を前記円筒棒に装着することで、前記シートが前記円筒棒に固定されている
ことを特徴とする野生動物忌避部材。
【請求項２】
前記シートが、黒色原着スパンボンド不織布である請求項１記載の野生動物忌避部材。
【考案の詳細な説明】
【技術分野】
【０００１】
本考案は、猪や鹿等の野生動物が夜間に田畑等に侵入するのを防止するための野生動物忌避部材に関する。
【背景技術】
【０００２】
従来、猪や鹿等の野生動物が田畑等に侵入するのを防止する方法として、金網、鉄条網、鉄柵、塩化ビニルシート等の合成樹脂フィルム、繊維製ネット、電流を流した電線等で田畑等の周りを囲むことが実施されていた。これらはいずれも田畑等の周囲に遮蔽物を設けて野生動物の侵入を防止しようという考え方で、それぞれ設置するための労力やコスト、維持コスト、耐用年数等において一長一短があるものであった。
【０００３】
これらの方法に対して、野生動物が近づかないようにするとの考え方に基づいた方法が提案されている。例えば、特許文献１には、動物に生理的嫌悪感をもたらす忌避剤を塗布あるいは含侵した繊維製ネットを用いることが提案されている。また、特許文献２には、周囲に刺激臭を発する植物を植生することが提案されている。
【先行技術文献】
【特許文献】
【０００４】
【特許文献１】特開平６−２３７６８０号公報
【特許文献２】特開２００２−３４４３１号公報
【考案の概要】
【考案が解決しようとする課題】
【０００５】
しかし、特許文献１の手法では、繊維製ネットが風雨に曝されることで忌避剤の効果が小さくなり、耐用年数が短い。また、特許文献２の手法では、植物の維持管理にコストがかかる。
そこで、本考案は、上記の状況に鑑み、野生動物が近づかないようにするとの考え方に基づいた方法であって、維持管理のコストを低減することができ、長期間の使用に耐え得る野生動物忌避部材を提供することを目的とする。
【課題を解決するための手段】
【０００６】
本考案の野生動物忌避部材は、野生動物の侵入を防止するための遮光率が６０％以上およびＬ値が４０以下である帯状のシートと、前記シートを野生動物の侵入を防止する区域の周りを囲むように幕状に張り巡らすための取り付け部材と、を備え、
前記取り付け部材は、
野生動物の侵入を防止する区域の周りを囲むように所定の間隔で設置され、前記シートを支持するための複数の支持部と、
各支持部に前記シートを固定するための固定手段と、
を有し、
各支持部が、地面から立たせた一対の円筒棒からなり、
前記一対の円筒棒のいずれか一方は、前記幕状のシートの内側に配され、
前記一対の円筒棒のいずれか他方は、前記幕状のシートの外側に配され、
前記固定手段が、前記円筒棒に嵌合可能であり、円筒形の一部を軸方向に沿って切り欠いた形状を有し、軸方向に垂直な断面が略Ｃ字状である止め具からなり、
前記シートを前記円筒棒に当接し、前記当接部分に前記シートの上から前記止め具を前記円筒棒に装着することで、前記シートが前記円筒棒に固定されている
ことを特徴とする。
【考案の効果】
【０００７】
本考案によれば、特定のシートを田畑等の周囲に張り巡らすだけで、夜間に野生動物が近づいてきても先が暗くて前に進むことを躊躇し、田畑等内への侵入を確実に防止することができる。また、特定の取り付け部材を用いることで野生動物による食害を防止したい区域の周囲に上記のシートをバランスよく強固に張り巡らすことができる。
よって、本考案によれば、設置が非常に容易であるため、設置に関する労力やコストを低減でき、かつ維持管理のコストを低減することができるうえ、耐用期間が長く、長期間に渡って安定した野生動物忌避効果が得られる。
【図面の簡単な説明】
【０００８】
【図１】本考案の野生動物忌避部材を設置した状態を示した正面図である。
【図２】図１の野生動物忌避部材の一部を示した要部上面図である。
【図３】取り付け部材を示した正面図である。
【図４】止め具を示した斜視図である。
【図５】円筒棒の端部を示した斜視図である。
【考案を実施するための形態】
【０００９】
以下、本考案の野生動物忌避部材の一実施形態を、図１〜５を参照しながら説明する。なお、図１は、野生動物の侵入を防止する区画内より見た野生動物忌避部材の正面である。また、図３〜５は、円筒棒２ａや止め具３ａを示すが、円筒棒２ｂおよび止め具３ｂについても、図３〜５に示す円筒棒２ａや止め具３ａと同じものが用いられる。
図１に示すように、本考案の野生動物忌避部材は、野生動物の侵入を防止するための帯状のシート１と、シート１を野生動物の侵入を防止する区画の周りを囲むように幕状に張り巡らすための取り付け部材７とを備える。シート１は、遮光率が６０％以上およびＬ値が４０以下である布帛からなる。取り付け部材７は、野生動物の侵入を防止する区域の周りを囲むように所定の間隔で設置され、シート１を幅方向に沿って支持するための複数の支持部２と、各支持部２にシート１を固定するための固定手段３と、を有する。
【００１０】
シート１を構成する布帛としては、例えば、織物、寒冷紗、編物、不織布が用いられる。布帛を構成する繊維素材としては、例えば、綿もしくは麻のような天然繊維、レーヨンのような再生繊維、またはポリアミド、ポリエステル、アクリル、もしくはポリビニルアルコール合成繊維のような合成繊維が用いられる。これらの繊維を、単体で用いてもよく、組み合わせて用いてもよい。また、フィルム等を細幅に裁断したテープヤーンを繊維素材として用いてもよい。織物や編物の場合、上記のいずれの繊維素材でもよい。
【００１１】
不織布としては、例えば、上記の各種繊維の短繊維からなる短繊維不織布や、ポリアミド、ポリエステル、ポリエチレン、ポリプロピレン等の合成繊維をスパンボンド法やフラッシュ紡糸法等により不織布とした長繊維不織布が用いられる。コスト面から、スパンボンド不織布が好ましい。さらにニードルパンチを施すことにより構成される繊維同士が交絡してなるスパンボンド不織布は、引裂強力に優れるため、長期間の展張に対する耐久性に優れている。
【００１２】
布帛は、適度な引裂強力を有するとともに、繊維間または組織間に形成される空隙により適度な通気性を有する。このため、風によりシート１が倒壊し難い。また、風雨等によるシート１のはためきによるシート１の取り付け部分の破損が抑制される。
【００１３】
シート１の遮光率は、好ましくは７５％以上、より好ましくは８５％以上である。
シート１のＬ値は３０以下であるのが好ましい。
【００１４】
遮光率は、次の方法で測定したものである。すなわち、ＪＩＳＬ１９０６に準じた装置にて、光源としてレフランプカラー用５００Ｗ（品番：ＰＲＦ−５００）を用い、試料取り付け部から３０ｃｍの位置に置き、光源の光度を照度計が２０００ルックスを示すように調整し、試料取り付け部に試料を取り付け、その時の照度計の値Ａを読み取る。そして遮光率を次式により算出する。
遮光率（％）＝（（２０００−Ａ）／２０００）×１００
【００１５】
Ｌ値は、次の方法で測定したものである。すなわち、色彩色差計（データプロセッサ ＤＰ−３００、測定ヘッド ＣＲ−３１０：ミノルタ社製）を用い、測定箇所の試料の目付が３００ｇ／ｍ２以上となるように、シート１を折りたたみ、設置して測定した。測定の際は、測定個所を変えて４個所測定し、得られた値の平均値をＬ値とした。なお、シート１の表裏面の形態が異なるものについては、各面共に２個所ずつ測定し、それらの平均値をＬ値とした。
【００１６】
シート１の遮光率を６０％以上とするには、布帛を構成する繊維間あるいは糸条間の間隔を小さくして光を通しにくくするとよく、織物や編物の場合には、ツイルやサテン調の糸条間の空隙が透かして見えにくい組織とするのが好ましい。不織布の場合は、目付が大きくなる程光を遮る効果が出る。さらにシート１のＬ値を４０以下とするには、布帛は濃色に着色されているものを用いるとよい。この場合の色相としては黒色が好ましい。布帛を濃色に着色する方法としては、布帛を染色する方法と、繊維原料に顔料等の着色剤を混合して繊維を形成させて原着繊維とする方法がある。布帛を黒色に着色することにより、布帛の目付が５０〜１００ｇ／ｍ２であっても遮光率を６０％以上とすることができる。ポリエステル等の合成樹脂にカーボン等の黒色の顔料を混練してスパンボンド方式により製造した黒色原着スパンボンド不織布は、コスト面でも有利に製造でき、本考案の野生動物忌避部材用シートとして好適に用いられる。繊維原料、製造法、コスト、不織布の性能等を考慮すると、黒色原着ポリエステルスパンボンド不織布であるのが最も好ましい。
【００１７】
また、布帛に耐候性を付与することも好ましい。耐候性を付与する方法としては、公知の耐候剤（酸化防止剤、紫外線吸収剤、紫外線反射剤等）を布帛に付与すればよく、例えば、布帛を構成する繊維に練り込む、耐候剤を繊維に付着させる、耐候剤入りのバインダー樹脂等を布帛にコーティングや含浸する等が挙げられる。
【００１８】
各支持部２は、例えば金属製の一対の円筒棒２ａ、２ｂからなる。一対の円筒棒２ａ、２ｂは、シート１を張り巡らす方向に沿って設置される。支持部２の設置間隔は、例えば、約２ｍである。猪の侵入防止の場合、シート１の幅（設置高さ）は、例えば、約９０ｃｍである。鹿の侵入防止の場合、シート１の幅（設置高さ）は、例えば、約１８０ｃｍである。一対の円筒棒２ａ、２ｂの設置間隔は、支持部２の設置間隔よりも十分に小さく、固定手段３を構成する止め具３ａ、３ｂでシート１を円筒棒２ａ、２ｂに固定可能な距離であればよい。
【００１９】
円筒棒２ａ、２ｂの下端部を地中に打ち込むことで、円筒棒２ａ、２ｂを地面から立たせた状態で固定することができる。シート１の幅（設置高さ）が約９０ｃｍである場合、それに対応した長さの円筒棒２ａ、２ｂを地中に打ち込む長さは、例えば、約３０ｃｍである。円筒棒の軸方向の長さは、地中に打ち込むのに必要な長さ寸法を有し、かつ円筒棒の地面からの高さ寸法が、シート１の設置面からの高さ寸法（シート１の幅寸法）よりも大きくなるように適宜決めればよい。
【００２０】
図１および２に示すように、円筒棒２ａは、野生動物の侵入を防止する区画の周りを囲む幕状のシート１の内側（野生動物の侵入を防止する区域側）に配され、円筒棒２ｂは、野生動物の侵入を防止する区画の周りを囲む幕状のシート１の外側（野生動物の侵入を防止する区域側とは反対側）に配される。本実施形態では、円筒棒２ａ、２ｂを上記のように配置したが、円筒棒２ａを、野生動物の侵入を防止する区画の周りを囲む幕状のシート１の外側に配置し、円筒棒２ｂを、野生動物の侵入を防止する区画の周りを囲む幕状のシート１の内側に配置してもよい。
【００２１】
固定手段３は、円筒棒２ａ、２ｂに嵌合可能な、例えば樹脂製の止め具３ａ、３ｂからなる。止め具３ａ、３ｂは、円筒形の一部を軸方向に沿って切り欠いたような形状を有し、軸方向に垂直な断面がＣ字状または開口部を狭く形成したＵ字状である。止め具３ａ、３ｂは、切り欠き部を利用して弾性変形により円筒棒２ａ、２ｂにかぶせるようにすることで、それぞれシート１の幅方向に沿って、シート１の幅方向の両端付近を固定するように円筒棒２ａ、２ｂに２つずつ装着される。このように、少なくともシートの幅方向に沿った両端部付近が止め具で固定されていればよい。止め具３ａ、３ｂには、シート１を円筒棒２ａ、２ｂに強固に固定するために、止め具３ａ、３ｂの形状に沿って所定位置に金属製のＣリング６ａ、６ｂが装着されている。
【００２２】
シート１を円筒棒２ａ、２ｂに当接し、当接部分にシート１の上から止め具３ａ、３ｂを、それぞれ円筒棒２ａ、２ｂに装着することで、シート１が円筒棒２ａ、２ｂに固定される。支持部２毎に、シート１が、円筒棒２ａにおける野生動物の侵入を防止する区画側とは反対側の面に当接し、円筒棒２ｂにおける野生動物の侵入を防止する区画側の面に当接するように、シート１を配置し、固定することで、シート１をバランスよく強固に幕状に張り巡らすことができる。図２において、上方から下方へ風が吹いた場合、止め具３ａでシート１を円筒棒２ａに強く固定することができる。下方から上方へ風が吹いた場合、止め具３ｂでシート１を円筒棒２ｂに強く固定することができる。よって、風が上方から下方へ吹く場合および風が下方から上方へ吹く場合のいずれの場合にも、シート１はかなりの風圧を受けるものの、シート１が円筒棒２ａ、２ｂから外れることを確実に防止することができる。
【００２３】
円筒棒２ａ、２ｂは、その下端において、平坦状に変形させて先を尖らせた端部４ａ、４ｂを有する。これにより、端部４ａ、４ｂより地中に円筒棒２ａ、２ｂを容易に打ち込むことができる。
【００２４】
止め具３ａ、３ｂの端部には、止め具３ａ、３ｂの円筒棒２ａ、２ｂへの装着時に円筒棒２ａ、２ｂとの間に隙間を形成するため凹部５ａ、５ｂが設けられている。この隙間に、所定の工具を挿入することで、止め具３ａ、３ｂを円筒棒２ａ、２ｂから容易に取り外すことができる。
【産業上の利用可能性】
【００２５】
本考案の野生動物忌避部材は、猪や鹿等の野生動物の田畑等への侵入を防止する資材として好適に用いられる。
【符号の説明】
【００２６】
１  シート
２  支持部
３  固定手段
２ａ、２ｂ  円筒棒
３ａ、３ｂ  止め具
４ａ、４ｂ  端部
５ａ、５ｂ  凹部
６ａ、６ｂ  Ｃリング
７  取り付け部材
【図１】
0003179419.tif 000003
【図２】
0003179419.tif 000004
【図３】
0003179419.tif 000005
【図４】
0003179419.tif 000006
【図５】
0003179419.tif 000007